(57)【特許請求の範囲】
【請求項１】
板体の一面から突出して中板の支持片を収容する収容片を備え、前記収容片に一定の間隔で通孔が形成されてなる下板と、
前記下板に密着する板体の内部に収容片に密着するように一定の間隔で隔たるように支持片が突設された中板と、
前記中板に密着する板体の縁部に前記下板及び中板の端を包む折曲片を備え、前記板体に下板の通孔と同一線上に位置しないように一定の間隔で通孔が形成された上板と、
前記下板の通孔を通じて中板及び上板を固定させる中上板固定部と、
前記上板の通孔を通じて中板及び下板を固定させる中下板固定部とを含んでなり、
前記中上板固定部は、
前記下板の通孔と同一直線上に前記中板に貫設された第１結合孔と、
前記下板の通孔および前記中板の第１結合孔と同一線上に上板に貫設された結合孔と、
前記上板の結合孔及び中板の第１結合孔に結合して中板及び上板を包んで固定させる固定部材とを含んでなり、
前記中下板固定部は、
前記上板の通孔と同一直線上に前記中板に貫設された第２結合孔と、
前記上板の通孔および前記中板の第２結合孔と同一線上に下板に貫設された結合孔と、
前記下板の結合孔及び中板の第２結合孔に結合して中板及び下板を包んで固定させる固定部材とを含んでなることを特徴とする、アクセスフロアパネル。
【請求項２】
前記固定部材は、リベット及び中板及び下板の結合孔から突出する結合リブのいずれか一つであることを特徴とする、請求項１に記載のアクセスフロアパネル。
【発明の詳細な説明】
【技術分野】
【０００１】
本発明はアクセスフロアパネルに係り、より詳しくはパネルの上板及び下板に一定の間隔で隔たるように通孔がそれぞれ貫設され、共鳴現象による騷音が発生しないようにするだけでなく、上板、中板及び下板を結合してパネルを形成するので、重さが軽くて設置が容易であるのはもちろんのこと、再使用が可能なので環境汚染を減らすことができるアクセスフロアパネルに関するものである。
【背景技術】
【０００２】
一般に、事務自動化施設を取り揃えたインテリジェントビルなどの事務室には各種の電気／電子機器に用いられる電線や通信線などの配線効率を高め、室内の通気性及び美観を考慮して建築物の室内床を二重で構成するアクセスフロアパネルが広く使われ、前記配線が床に埋設されることによって室内の単純化及び静電気防止などの事務環境を改善することができる。
【０００３】
前記アクセスフロアパネルは、たいてい一定の長さを持つように形成され、底面に一定の間隔で隔たった支持部材に定着させ、互いに連結して使用するもので、これはセメントモルタル及びＰＢ（Ｐａｒｔｉｃｌｅ  Ｂｏａｒｄ）合板を金属パネルに充填して形成するものと、一定の厚さで内部に中空部が形成されるように金属板材を重ねた金属パネルとに区分される。
【０００４】
ここで、ＰＢ合板は木材粉砕物（ｃｈｉｐ）を接着剤と混合して熱圧で製造した製品で、一名チップボード（ｃｈｉｐ  ｂｏａｒｄ）とも言う。
【０００５】
前記セメントモルタルが充填された金属パネルは、セメントモルタルが充填されて重さがかなり重いので、運搬及び設置作業が難しいだけでなく、過度な荷重が加わって安全事故を誘発する問題点があった。
【０００６】
また、前記ＰＢ合板が充填された金属パネルは、セメントモルタルが充填された金属パネルより重さが軽くはあるが、木材粉砕物を接着剤と混合し、熱圧で製品を生産するため、湿気に弱い問題点があり、湿気によって膨張して乾燥される場合、湿気によって膨脹する前より外部衝撃によって易しく損傷される問題点があった。
【０００７】
また、前記セメントモルタル及びＰＢ合板が充填された金属パネルを底に順次設置するに当たり、金属パネルより小さな空間には金属パネルを切断して設置しなければならないが、金属パネルの切断の際、セメントモルタルやＰＢ合板からほこりが発生するとともに周辺が汚染される問題点があった。
【０００８】
また、前記セメントモルタル及びＰＢ合板が充填された金属パネルを廃棄処分しようとするとき、セメントモルタル及びＰＢ合板と金属パネルの分離が難しくてリサイクルが難しいだけでなく、セメントモルタル及びＰＢ合板が充填された状態で金属パネルが廃棄されれば、環境を汚染させる問題点があった。
【０００９】
また、内部に中空部が形成されるように金属板材を重ねて形成した金属パネルは、内部が空いていて軽いので、セメントモルタル及びＰＢ合板が充填された金属パネルより設置が容易であるのはもちろんのこと、セメントモルタル及びＰＢ合板が金属パネルに充填されないので、金属パネルに充填される詰め物による環境汚染を解消することができるが、歩行者の歩行時に伝達される衝撃によって密閉した中空部で共鳴現象による音の響きや振動が大きく発生し、共鳴現象による騷音を引き起こす問題点があった。
【発明の概要】
【発明が解決しようとする課題】
【００１０】
したがって、本発明は前述したような従来の諸般の欠陥に鑑みてなされたもので、本発明の目的は、パネルの上板及び下板に一定の間隔で隔たるように通孔がそれぞれ貫設されることにより、騷音が共鳴することを遮断するとともに共鳴現象による騷音が発生しないようにするアクセスフロアパネルを提供することにある。
【００１１】
また、本発明の他の目的は、上板、中板及び下板を結合してパネルを形成するので、重さが軽くて設置が容易でありながらも再使用が可能なので環境汚染を減らすことができるアクセスフロアパネルを提供することにある。
【課題を解決するための手段】
【００１２】
本発明のアクセスフロアパネルは、
板体の一面から突出して中板の支持片を収容する収容片を備え、前記収容片に一定の間隔で通孔が形成されてなる下板と、
前記下板に密着する板体の内部に収容片に密着するように一定の間隔で隔たるように支持片が突設された中板と、
前記中板に密着する板体の縁部に前記下板及び中板の端を包む折曲片を備え、前記板体に下板の通孔と同一線上に位置しないように一定の間隔で通孔が形成された上板と、
前記下板の通孔を通じて中板及び上板を固定させる中上板固定部と、
前記上板の通孔を通じて中板及び下板を固定させる中下板固定部とを含んでなることを特徴とするものである。
【発明の効果】
【００１３】
本発明によれば、パネルの上板及び下板に一定の間隔で隔たるように通孔がそれぞれ貫設されることにより騷音が共鳴することを遮断するとともに共鳴現象による騷音が発生しないようにするので、室内空間が淑やかで高品質のインテリアを具現する利点を持つことができるものである。
【００１４】
また、上板、中板及び下板を結合してパネルを形成するので、重さが軽くて生産性が高くて設置が容易でありながらも再使用が可能なので環境汚染を減らし、経済性を向上させることができる利点を持つものである。
【図面の簡単な説明】
【００１５】
【図１】本発明の斜視図である。
【図２】本発明の分離斜視図である
【図３】本発明の断面図である。
【図４】本発明の製作過程図である。
【図５】本発明の製作過程図である。
【発明を実施するための形態】
【００１６】
以下、添付図面に基づいて本発明を詳細に説明する。図１は本発明の斜視図、図２は本発明の分離斜視図、図３は本発明の断面図である。
【００１７】
本発明のアクセスフロアパネル１００は、板体１１１の一面から突出して中板１２０の支持片１２２を収容する収容片１１２を備え、前記収容片１１２に一定の間隔で通孔１１３が形成されてなる下板１１０と、前記下板１１０に密着する板体１２１の内部に収容片１１２に密着するように一定の間隔で隔たるように支持片１２２が突設された中板１２０と、前記中板１２０に密着する板体１３１の縁部に前記下板１１０及び中板１２０の端を包む折曲片１３２を備え、前記板体１３１に下板１１０の通孔１１３と同一線上に位置しないように一定の間隔で通孔１３３が形成された上板１３０と、前記下板１１０の通孔１１３を通じて中板１２０及び上板１３０を固定させる中上板固定部１４０とを含んでなるもので、これをより具体的に説明すれば次のようである。
【００１８】
前記中上板固定部１４０は、前記中板１２０に結合孔１４１が貫設され、前記結合孔１４１と同一線上に上板１３０に結合孔１４２が貫設され、前記上板１３０の結合孔１４１と中板１２０の結合孔１４２に結合して中板１２０及び上板１３０を包んで固定させる固定部材１４３を含んでなる。
【００１９】
前記固定部材１４３は、リベット及び上板及び中板１３０、１２０の結合孔１４２、１４１から突出した結合リブのいずれか一つであることが好ましい。
【００２０】
前記上板１３０の通孔１３３を通じて中板１２０及び下板１１０を固定させる中下板固定部１５０をさらに含む。前記中下板固定部１５０は、前記中板１２０に結合孔１５１が貫設され、前記結合孔１５１と同一線上に下板１１０に結合孔１５２が貫設され、前記下板１１０の結合孔１５１及び中板１２０の結合孔１５２に結合して中板１２０及び下板１１０を包んで固定させる固定部材１５３を含んでなる。
【００２１】
前記固定部材１５３は、リベット及び中板及び下板１２０、１１０の結合孔１５１、１５２から突出した結合リブのいずれか一つであることが好ましい。
【００２２】
次に、前記のように構成された本発明の製作過程を説明する。
【００２３】
まず、図４及び図５に示したように、金属素材から上板、中板及び下板１３０、１２０、１１０をそれぞれ形成する。前記上板１３０及び下板１１０に通孔１３３、１１３を貫設し、前記通孔１３３、１１３は同一線上に位置しないように形成しなければならない。
【００２４】
ここで、前記上板１３０の縁部に形成された折曲片１３２は９０°で折り曲げられ、各角部は湾曲するように形成されることが好ましい。
【００２５】
前記折曲片１３２が折り曲げられた上板１３０を、前記折曲片１３２が金型１０の内面に密着するように、金型１０に配置し、板体１３１の縁部を係止段部１１に載置するとともに前記上板１３０の板体１３１に中板１２０の板体１２１を装着する。
【００２６】
この際、前記中板１２０の板体１２１が上板１３０の折曲片１３２に密着しながら移動して板体１３１に装着された後、前記中板１２０の板体１２１に下板１１０の板体１１１を装着すれば、前記下板１１０の板体１１１は上板１３０の折曲面１３２に密着しながら移動して板体１２１に装着される。
【００２７】
この過程で上板１３０の板体１３１に中板１２０の板体１２１及び下板１１０の板体１１１が装着されれば、前記上板１３０の折曲片１３２をプレス（図示せず）で押圧することで、折曲片１３２が中板１２０の板体１２１及び下板１１０の板体１１１の端を包むことでフロアパネル１００の製作が完了する。
【００２８】
ここで、前記フロアパネル１００の中板１２０及び上板１３０を中上板固定部１４０で固定させることができる。前記中上板固定部１４０は、下板１１０の通孔１１３と同一線上に中板１２０及び上板１３０に結合孔１４１、１４２がそれぞれ貫設された状態で、前記結合孔１４１、１４２を通じて固定部材１４３で固定させる。
【００２９】
前記固定部材１４３は、前記結合孔１４１、１４２から突出する結合リブまたはリベットのいずれか一つであり、前記下板１１０の通孔１１３を通じてシリンダーのような押圧部材２０がリベットまたは結合リブを押圧する。前記結合リブは結合孔１４１から結合リブが突出して結合孔１４２を包む場合、結合リブの厚さの分だけ上板１３０から突出するので、結合孔１４２から突出して結合孔１４１を包む構造が好ましい。
【００３０】
ここで、前記押圧部材２０で結合リブを押圧するとき、上板１３０は変形防止型３０に装着して変形を防止し、前記変形防止型３０には押圧部材２０の端部が突出するように空間が形成されていなければならない。
【００３１】
また、前記フロアパネル１００の中板１２０及び下板１１０を中下板固定部１５０で固定させることができる。前記中下板固定部１５０は、上板１３０の通孔１３３と同一線上に中板１２０及び下板１１０に結合孔１５１、１５２がそれぞれ貫設された状態で、前記結合孔１５１、１５２を通じて固定部材１５３で固定させる。
【００３２】
前記固定部材１５３は前記結合孔１５１、１５２から突出する結合リブまたはリベットのいずれか一つであり、前記上板１３０の通孔１３３を通じてシリンダーのような押圧部材２０がリベット及び結合リブを押圧する。前記結合リブは、結合孔１５１から結合リブが突出して結合孔１５２を包む場合、結合リブの厚さの分だけ下板１１０から突出するので、結合孔１５２から突出して結合孔１５１を包む構造が好ましい。
【００３３】
ここで、前記押圧部材２０で結合リブを押圧するとき、下板１１０は変形防止型３０に装着して変形を防止しなければならなく、前記変形防止型３０には押圧部材２０の端部が突出するように空間が形成されていなければならない。
【００３４】
前記の過程によって形成されたフロアパネル１００は、底面から一定の間隔で隔たるように形成された支持部材に縁部が装着されることで設置され、前記支持部材に縁部が装着されたフロアパネル１００を支持部材に締結される締結部材（図示せず）の押圧によって固定させることができるものである。
【００３５】
以上のように、本発明は、たとえ限定された実施例及び図面に基づいて説明したが、この明細書及び請求範囲に使用された用語や単語は通常的または辞書的な意味に限定して解釈されてはいけなく、本発明の技術的思想に合う意味及び概念に解釈されなければならない。よって、この明細書の実施例及び図面に開示した構成は本発明の一実施例に過ぎないもので、本発明の技術的思想を全部代弁するものではないので、本発明の請求範囲を逸脱しない範疇内で多様な均等物及び変形例があり得ることを理解しなければならない。
【符号の説明】
【００３６】
１００    フロアパネル
１１０    下板
１１１    板体
１１２    収容片
１１３    通孔
１２０    中板
１２１    板体
１２２    支持片
１３０    上板
１３１    板体
１３２    折曲片
１３３    通孔
１４０    中上板固定部
１４１、１４２    結合孔
１４３    固定部材
１５０    中下板固定部
１５１、１５２    結合孔
１５３    固定部材
【図１】
0005811479.tif 000002
【図２】
0005811479.tif 000003
【図３】
0005811479.tif 000004
【図４】
0005811479.tif 000005
【図５】
0005811479.tif 000006